(57)【要約】【課題】部品点数の増加を抑えた小型の照明装置を提供する。【解決手段】照明装置は、所定の直流電圧を出力する直流電源回路３と、直流電源回路３から出力される直流電圧を高周波電圧に変換するインバータ回路４と、直流電源回路３のスイッチング素子Ｑ１及びインバータ回路４のスイッチング素子Ｑ２，Ｑ３を制御する制御用集積回路６とを備える。制御用集積回路６は、インバータ回路４のスイッチング素子Ｑ２，Ｑ３のオン・オフ時間を制御するインバータドライブ回路６３及びインバータ制御部６２と、時間を計時するための発振信号を一定間隔で出力するタイマ回路６４と、タイマ回路６４からの発振信号の発振回数を計数することで放電ランプＬａ１の点灯時間を計時し、計時した点灯時間に応じて放電ランプＬａ１の調光比が変化するようにインバータ回路４のスイッチング素子Ｑ２，Ｑ３のオン・オフ時間を制御する調光制御部６５とを有している。【選択図】図１
2012074157.tif 000002
【特許請求の範囲】
【請求項１】
平滑コンデンサを有し所望の直流電圧を出力する直流電源回路と、
前記直流電源回路から出力される直流電圧を高周波電圧に変換するインバータ回路と、
インダクタ及びコンデンサで構成された共振回路を有し、前記インバータ回路から出力される高周波電圧により放電ランプを点灯させる負荷回路と、
前記直流電源回路及び前記インバータ回路を構成する各スイッチング素子を制御する制御用集積回路とを備え、
前記制御用集積回路は、前記インバータ回路のスイッチング素子のオン・オフ時間を制御するインバータ制御手段と、
時間を計時するための発振信号を一定間隔で出力するタイマ手段と、
前記タイマ手段から出力される発振信号の発振回数を計数することで前記放電ランプの点灯時間を計時し、計時した点灯時間に応じて前記放電ランプの調光比が変化するように前記インバータ回路のスイッチング素子のオン・オフ時間を制御する調光制御手段とを有していることを特徴とする照明装置。
【請求項２】
前記インバータ制御手段は、前記タイマ手段から出力される発振信号の発振回数に従って前記インバータ回路のスイッチング素子のオン・オフ時間を制御することを特徴とする請求項１記載の照明装置。
【請求項３】
前記調光制御手段は、前記放電ランプの点灯時間の増加に伴う光束減退を低減するように、前記放電ランプの点灯時間が増加するに従って前記放電ランプの調光比が高くなるように前記インバータ回路のスイッチング素子のオン・オフ時間を制御することを特徴とする請求項１又は２記載の照明装置。
【請求項４】
前記調光制御手段は、前記放電ランプの点灯時間が所定時間増加する毎に、前記放電ランプの調光比を所定量ずつ高くすることを特徴とする請求項３記載の照明装置。
【請求項５】
不揮発性のメモリを備え、
前記制御用集積回路は、前記調光制御手段によって計時された前記放電ランプの点灯時間を前記メモリに記憶させる書込手段を有していることを特徴とする請求項１〜４の何れか１項に記載の照明装置。
【発明の詳細な説明】
【技術分野】
【０００１】
本発明は、照明装置に関するものである。
【背景技術】
【０００２】
従来より、放電ランプを高周波点灯させる放電灯点灯装置が提供されている（例えば特許文献１参照）。この放電灯点灯装置は、電源電圧を直流に変換する整流回路と、整流回路からの直流出力を受けて放電ランプを高周波点灯させるインバータ回路と、整流回路及びインバータ回路を構成する各スイッチング素子のオン・オフを制御する制御用集積回路と、制御用集積回路に対してＰＷＭ信号（調光信号）を出力するマイコンとを備える。この放電灯点灯装置では、制御用集積回路がマイコンから出力されるＰＷＭ信号に応じてインバータ回路の発振周波数を変化させることで、ＰＷＭ信号に応じた調光レベルで放電ランプが調光点灯する。
【先行技術文献】
【特許文献】
【０００３】
【特許文献１】特開２００５−５０６４７号公報（段落［００１５］−段落［００１９］、及び、第３図）
【発明の概要】
【発明が解決しようとする課題】
【０００４】
上述の特許文献１に示した放電灯点灯装置では、インバータ回路を制御する制御用集積回路とは別に、放電ランプの光出力を制御するＰＷＭ信号を出力するマイコンを設けている。したがって、制御用集積回路とマイコンとの間にはインターフェースが必要であり、例えば本従来例ではインターフェースとしてローパスフィルタ回路を設けている。また、制御用集積回路とローパスフィルタ回路の間、及び、マイコンとローパスフィルタ回路の間を接続するパターン配線も必要であり、以上のことから装置が大型化するものであった。
【０００５】
本発明は上記問題点に鑑みて為されたものであり、その目的とするところは、部品点数の増加を抑えた小型の照明装置を提供することにある。
【課題を解決するための手段】
【０００６】
本発明の照明装置は、平滑コンデンサを有し所望の直流電圧を出力する直流電源回路と、直流電源回路から出力される直流電圧を高周波電圧に変換するインバータ回路と、インダクタ及びコンデンサで構成された共振回路を有し、インバータ回路から出力される高周波電圧により放電ランプを点灯させる負荷回路と、直流電源回路及びインバータ回路を構成する各スイッチング素子を制御する制御用集積回路とを備え、制御用集積回路は、インバータ回路のスイッチング素子のオン・オフ時間を制御するインバータ制御手段と、時間を計時するための発振信号を一定間隔で出力するタイマ手段と、タイマ手段から出力される発振信号の発振回数を計数することで放電ランプの点灯時間を計時し、計時した点灯時間に応じて放電ランプの調光比が変化するようにインバータ回路のスイッチング素子のオン・オフ時間を制御する調光制御手段とを有していることを特徴とする。
【０００７】
この照明装置において、インバータ制御手段は、タイマ手段から出力される発振信号の発振回数に従ってインバータ回路のスイッチング素子のオン・オフ時間を制御するのが好ましい。
【０００８】
また、この照明装置において、調光制御手段は、放電ランプの点灯時間の増加に伴う光束減退を低減するように、放電ランプの点灯時間が増加するに従って放電ランプの調光比が高くなるようにインバータ回路のスイッチング素子のオン・オフ時間を制御するのも好ましい。
【０００９】
さらに、この照明装置において、調光制御手段は、放電ランプの点灯時間が所定時間増加する毎に、放電ランプの調光比を所定量ずつ高くするのも好ましい。
【００１０】
また、この照明装置において、不揮発性のメモリを備え、制御用集積回路は、調光制御手段によって計時された放電ランプの点灯時間をメモリに記憶させる書込手段を有しているのも好ましい。
【発明の効果】
【００１１】
部品点数の増加を抑えた小型の照明装置を提供することができるという効果がある。
【図面の簡単な説明】
【００１２】
【図１】実施形態１の照明装置を示す回路図である。
【図２】同上のインバータ回路に入力される制御信号の周波数変化を示すグラフである。
【図３】同上の使用時間と放電ランプの調光比との関係を示すグラフである。
【図４】実施形態２の照明装置を示す回路図である。
【図５】実施形態３の照明装置に用いられる放電ランプの点灯時間と光束との関係を示すグラフである。
【図６】同上に用いられる放電ランプの点灯時間と調光比との関係を示すグラフである。
【図７】実施形態４の照明装置に用いられる放電ランプの点灯時間と調光比との関係を示すグラフである。
【図８】同上に用いられる放電ランプの点灯時間と調光比との関係を示す別のグラフである。
【図９】実施形態５の照明装置を示す回路図である。
【発明を実施するための形態】
【００１３】
以下に、本発明に係る照明装置の実施形態を図面に基づいて説明する。本発明に係る照明装置は、例えば天井などの造営面に施工された放電ランプを点灯させるために用いられる。
【００１４】
（実施形態１）
図１は本実施形態の照明装置を示す回路図であり、本照明装置は、商用交流電源１の出力を全波整流する整流回路２と、整流回路２の出力を所望の直流電圧に変換する直流電源回路３と、直流電源回路３から出力される直流電圧を高周波電圧に変換するインバータ回路４とを備える。また、本照明装置は、インバータ回路４から出力される高周波電圧により放電ランプＬａ１を点灯させる負荷回路５と、直流電源回路３のスイッチング素子Ｑ１及びインバータ回路４のスイッチング素子Ｑ２，Ｑ３を制御する制御用集積回路６と、不揮発性のメモリ７とを備える。
【００１５】
整流回路２は、４つのダイオードＤ１〜Ｄ４をブリッジ接続してなり、商用交流電源１の出力を全波整流して後段の直流電源回路３に出力する。
【００１６】
直流電源回路３は、整流回路２の高圧側に接続されたインダクタＬ１及びダイオードＤ５の直列回路と、整流回路２の出力端間に接続されたコンデンサＣ１と、インダクタＬ１を介してコンデンサＣ１に並列に接続されたスイッチング素子Ｑ１（例えばＭＯＳＦＥＴ）と、ダイオードＤ５を介してスイッチング素子Ｑ１に並列に接続された平滑コンデンサＣ２とを備える。この直流電源回路３は、上記のスイッチング素子Ｑ１をオン・オフすることによって全波整流された電圧をチョッピングし、所望の直流電圧が得られる所謂昇圧チョッパ回路であり、従来周知の構成であるから詳細な説明については省略する。
【００１７】
インバータ回路４は、２つのスイッチング素子Ｑ２，Ｑ３（例えばＭＯＳＦＥＴ）の直列回路を平滑コンデンサＣ２の両端間に接続した所謂ハーフブリッジ型のインバータ回路である。このインバータ回路４では、上記のスイッチング素子Ｑ２，Ｑ３を交互にオン・オフすることで直流電源回路３から出力される直流電圧を高周波電圧に変換し、後段の負荷回路５に出力する。
【００１８】
負荷回路５は、ローサイドのスイッチング素子Ｑ３のドレイン−ソース間に接続されたインダクタＬ２及びコンデンサＣ３，Ｃ４からなる共振回路を有し、コンデンサＣ４の両端間には放電ランプＬａ１が接続されている。この負荷回路５では、上記のインバータ回路４から出力される高周波電圧により放電ランプＬａ１を点灯させる。
【００１９】
制御用集積回路６は、直流電源回路３のスイッチング素子Ｑ１のオン・オフ時間を制御するチョッパ制御部６０及びチョッパドライブ回路６１と、インバータ回路４のスイッチング素子Ｑ２，Ｑ３のオン・オフ時間を制御するインバータ制御部６２及びインバータドライブ回路６３とを備える。また、制御用集積回路６は、時間を計時するための発振信号を一定間隔で出力するタイマ回路（タイマ手段）６４と、タイマ回路６４から出力される発振信号の発振回数を計数することで放電ランプＬａ１の点灯時間を計時し、計時した点灯時間に応じて放電ランプの調光比が変化するようにインバータ回路４のスイッチング素子Ｑ２，Ｑ３のオン・オフ時間を制御する調光制御部（調光制御手段）６５とを備える。さらに、制御用集積回路６は、調光制御部６５で計時された放電ランプＬａ１の点灯時間をメモリ７に書き込むとともに、メモリ７に記憶させた放電ランプＬａ１の点灯時間を当該メモリ７から読み出すための通信制御部（書込手段）６６を備える。
【００２０】
チョッパ制御部６０は、直流電源回路３のスイッチング素子Ｑ１のオン・オフ時間を制御するチョッパ制御信号をチョッパドライブ回路６１に出力し、チョッパドライブ回路６１は、上記のチョッパ制御信号に従ってスイッチング素子Ｑ１のオン・オフ時間を制御する。その結果、入力電圧の変動や負荷の大きさに関わらず直流電源回路３の出力電圧を略一定に制御することができる。なお、上記のチョッパ制御信号は、図示しないタイマ回路からの発振信号に基づいて作成される。
【００２１】
インバータ制御部６２は、インバータ回路４のスイッチング素子Ｑ２，Ｑ３のオン・オフ時間を制御するインバータ制御信号をインバータドライブ回路６３に出力し、インバータドライブ回路６３は、上記のインバータ制御信号に従ってスイッチング素子Ｑ２，Ｑ３を交互にオン・オフさせる。その結果、直流電源回路３の平滑コンデンサＣ２から放電ランプＬａ１に点灯電力を供給する状態と、負荷回路５のコンデンサＣ３を電源として放電ランプＬａ１に点灯電力を供給する状態とが交互に繰り返されて、放電ランプＬａ１に高周波電圧が印加される。ここに、本実施形態では、上記のインバータ制御部６２及びインバータドライブ回路６３によりインバータ制御手段が構成されている。なお、上記のインバータ制御信号についても、図示しないタイマ回路からの発振信号に基づいて作成される。
【００２２】
なお、上記のチョッパ制御信号及びインバータ制御信号はそれぞれ方形波の信号であり、その周期の半分がスイッチング素子Ｑ１〜Ｑ３のおおよそのオン・オフ時間となる。つまり、上記の各制御信号の周波数を変化させることで、スイッチング素子Ｑ１〜Ｑ３のオン・オフ時間を制御することができる。
【００２３】
次に、制御用集積回路６の各部の動作について説明する。商用交流電源１が供給されると、タイマ回路６４はインバータ制御部６２及び調光制御部６５に対して一定間隔で発振信号を出力する。また、チョッパ制御部６０はチョッパドライブ回路６１に対してチョッパ制御信号を出力し、チョッパドライブ回路６１はチョッパ制御信号に従って直流電源回路３のスイッチング素子Ｑ１のオン・オフ時間を制御する。
【００２４】
インバータ制御部６２は、タイマ回路６４から出力される発振信号の発振回数を計数することで時間を計時し、この計時時間が放電ランプＬａ１のフィラメントの先行予熱期間（図２中の時刻ｔ１から時刻ｔ２までの期間）を経過するまでは予熱時のオン・オフ時間に対応する周波数ｆ１のインバータ制御信号を出力する（予熱モード）。そして、インバータドライブ回路６３では、インバータ制御信号に対応するオン・オフ時間でインバータ回路４のスイッチング素子Ｑ２，Ｑ３をオン・オフさせることで、放電ランプＬａ１のフィラメントに予熱電流が供給されてフィラメントが予熱される。
【００２５】
また、インバータ制御部６２は、上記の計時時間が先行予熱期間後の始動電圧印加期間（図２中の時刻ｔ２から時刻ｔ３までの期間）を経過するまでは始動時のオン・オフ時間に対応する周波数ｆ２（ｆ２＜ｆ１）のインバータ制御信号を出力する（始動モード）。そして、インバータドライブ回路６３では、インバータ制御信号に対応するオン・オフ時間でインバータ回路４のスイッチング素子Ｑ２，Ｑ３をオン・オフさせることで、放電ランプＬａ１のフィラメントに点灯するのに十分な始動電圧が印加されて放電ランプＬａ１が点灯する。
【００２６】
さらに、インバータ制御部６２は、上記の計時時間が始動電圧印加期間を経過した後は（図２中の時刻ｔ３以降）、調光制御部６５によって制御される所定の調光比で点灯するようにインバータ制御信号の周波数ｆがｆ＝ｆ３に設定される（点灯モード）。そして、インバータドライブ回路６３では、インバータ制御信号に対応するオン・オフ時間でインバータ回路４のスイッチング素子Ｑ２，Ｑ３をオン・オフさせることで、放電ランプＬａ１が所定の調光比で点灯する。
【００２７】
調光制御部６５は、タイマ回路６４から出力される発振信号の発振回数を計数することで時間を計時し、通信制御部６６を介してメモリ７から取得した点灯時間に上記の計時時間を累積して新たな点灯時間とする。そして、調光制御部６５では、新たな点灯時間に応じて放電ランプＬａ１の調光比が変化するように、インバータ回路４のスイッチング素子Ｑ２，Ｑ３のオン・オフ時間を変更する調光信号をインバータ制御部６２に出力する。一方、インバータ制御部６２は、上記の予熱モード及び始動モードでは所定のインバータ制御信号を作成してインバータドライブ回路６３に出力するが、点灯モードでは上記の調光信号をインバータ制御信号としてインバータドライブ回路６３に出力する。
【００２８】
ここにおいて、メモリ７は例えば不揮発性のＥＥＰＲＯＭであり、通信制御部６６とメモリ７との間の通信は、ＥＥＰＲＯＭ側で定められる所定の２線式或いは３線式の通信方法を用いて行われる。具体的には、通信制御部６６が、メモリ７に記憶させた点灯時間を読み出すための読み出し信号を含む所定のフォーマットの伝送信号をメモリ７に送信し、メモリ７は、上記の伝送信号を受信すると点灯時間を含む伝送信号を作成して通信制御部６６に送信する。そして、通信制御部６６は、メモリ７からの伝送信号に含まれる点灯時間を取り出して調光制御部６５に出力する。
【００２９】
一方、調光制御部６５は、通信制御部６６から入力された点灯時間に、計時した点灯時間を累積させて新たな点灯時間とし、通信制御部６６に出力する。そして、通信制御部６６では、メモリ７との通信フォーマットに従い、上記の新たな点灯時間及び当該点灯時間をメモリ７に書き込むための書き込み信号を含む伝送信号をメモリ７に送信する。通信制御部６６からの伝送信号を受け取ったメモリ７では、この伝送信号に含まれる新たな点灯時間を最新の点灯時間として記憶する。
【００３０】
以上のような動作中に商用交流電源１がオフにされると、チョッパ制御部６０及びインバータ制御部６２からの各制御信号の出力が停止され、その結果、チョッパドライブ回路６１及びインバータドライブ回路６３が直流電源回路３及びインバータ回路４の動作を停止させる。さらに、タイマ回路６４は、上記の発振信号の出力を停止する。
【００３１】
ここで、上記のタイマ回路６４からの発振信号によって計時される時間は、先行予熱期間、始動電圧印加期間及び点灯時間であり、何れも数十〜数百ｍｓ程度の単位で計時できればいいことから、発振信号の発振周期も同程度の単位でよく、また精度についても特に高精度が要求されるものではないことから、例えばコンデンサの充放電時の両端電圧などで発振信号を形成してもよい。また、ＥＥＰＲＯＭは書込回数が限られているため、書き込みタイミングとしては、商用交流電源１がオフにされたときに点灯時間を書き込むようにすればよい。
【００３２】
ところで、本照明装置の使用時間が所定の寿命時間に達した場合には、利用者に本照明装置の交換を促すために、例えば図３に示すように放電ランプＬａ１の調光比を１００％と７０％の間で交互に変化させるのが好ましい。この場合、調光制御部６６は、調光比１００％に対応する調光信号と、調光比７０％に対応する調光信号をインバータ制御部６２に交互に出力することになる。
【００３３】
而して、本実施形態によれば、インバータ回路４の出力を制御するインバータ制御部６２及びインバータドライブ回路６３（インバータ制御手段）と、放電ランプＬａ１の調光比を変化させる調光制御部６５（調光制御手段）を１つの制御用集積回路６に設けているので、従来例のようにＰＷＭ信号を出力するマイコンを制御用集積回路と別に設けた場合に比べて、部品点数を削減できるとともに各回路間を接続するパターン配線も不要になり、その結果、小型の照明装置を提供することができる。また、従来例に比べてマイコン及びマイコンに組み込まれるソフトウェアが不要になり、そのための開発費用を抑えることができることから製品コストを抑えることができる。さらに、放電ランプＬａ１の点灯時間を不揮発性のメモリ７に記憶させているので、例えば停電などで電源がオフにされた場合でもメモリ７から読み出すことで点灯時間を把握することができる。
【００３４】
なお、本実施形態では直流電源回路３を昇圧チョッパ回路で構成しているが、降圧チョッパ回路や昇降圧チョッパ回路で構成してもよい。また、インバータ回路４についてもハーフブリッジ型のインバータ回路に限定されるものではなく、フルブリッジ型のインバータ回路でもよい。
【００３５】
（実施形態２）
本発明に係る照明装置の実施形態２を図４に基づいて説明する。本実施形態では、チョッパ制御部６０から出力されるチョッパ制御信号及びインバータ制御部６２から出力されるインバータ制御信号についても、タイマ回路６４から出力される発振信号に基づいて作成している点で実施形態１と異なっている。なお、それ以外の構成は実施形態１と同様であり、同一の構成要素には同一の符号を付して説明を省略する。
【００３６】
本実施形態の照明装置は、図４に示すように、整流回路２と、直流電源回路３と、インバータ回路４と、負荷回路５と、制御用集積回路６と、不揮発性のメモリ７とを備える。
【００３７】
また、本実施形態の制御用集積回路６は、チョッパ制御部６０と、チョッパドライブ回路６１と、インバータ制御部６２と、インバータドライブ回路６３と、タイマ回路（タイマ手段）６４と、調光制御部（調光制御手段）６５と、通信制御部（書込手段）６６とを備える。ここに、本実施形態においても、インバータ制御部６２及びインバータドライブ回路６３によりインバータ制御手段が構成されている。
【００３８】
ここで、上記のチョッパ制御信号やインバータ制御信号の周波数は数十ｋＨｚ〜数百ｋＨｚであるので、タイマ回路６４からは数ＭＨｚの発振信号を出力する必要がある。例えば、タイマ回路６４から８ＭＨｚの発振信号を出力した場合には、５μｓ毎にオン・オフする１００ｋＨｚのチョッパ制御信号を形成するには発振信号を８０回計数する毎に反転するようにすればよい。さらに、発振信号を８１回計数する毎に反転するようにした場合には、５．０６μｓ毎にオン・オフする９８．８ｋＨｚのチョッパ制御信号を形成することができる。
【００３９】
而して、本実施形態によれば、放電ランプＬａ１の点灯時間を計時するために設けられたタイマ回路６４を、直流電源回路３のスイッチング素子Ｑ１及びインバータ回路４のスイッチング素子Ｑ２，Ｑ３のオン・オフ時間を制御するためのタイマ回路として兼用しているので、直流電源回路３及びインバータ回路４を制御するためのタイマ回路を別に設けなくてもよく、コストダウンが図れる。また、本実施形態では、タイマ回路６４により先行予熱期間や始動電圧印加期間、点灯時間も計時しており、これらの時間を計時するためには多数のカウンタを用意する必要があるが、スイッチング素子Ｑ１〜Ｑ３のオン・オフ時間を計時するためのタイマ回路と、上記の各時間を計時するためのタイマ回路とをタイマ回路６４で共通化していることから、タイマ回路の数を減らすことができてカウンタの増加に伴う影響を小さく抑えることができる。
【００４０】
（実施形態３）
本発明に係る照明装置の実施形態３を図５及び図６に基づいて説明する。本実施形態では、放電ランプＬａ１の点灯時間の増加に伴う光束減退を低減するように、放電ランプＬａ１の点灯時間が増加するに従って放電ランプＬａ１の調光比を高くしている点で実施形態１，２と異なっている。なお、それ以外の構成は実施形態１，２と同様であり、同一の構成要素には同一の符号を付して説明を省略する。
【００４１】
図５は放電ランプＬａ１の点灯時間と光束との関係を示すグラフであり、点灯初期段階の光束を１００％とすると、点灯時間が放電ランプＬａ１の寿命時間に達するときには７０％まで低下していることが分かる。その結果、点灯時間の経過とともに放電ランプＬａ１による照射面の照度が低下することになる。そこで、本実施形態では、放電ランプＬａ１の点灯時間に伴う光束減退を低減すべく、放電ランプＬａ１の点灯時間が増加するに従って調光比が高くなるように調整している。具体的には、図６に示すように点灯初期段階では調光比を７０％に設定し、放電ランプＬａ１の点灯時間が増加するに従って曲線的に調光比を高くしていき、点灯時間が放電ランプＬａ１の寿命時間に達するときには調光比を１００％に設定している。その結果、放電ランプＬａ１の点灯時間に関わらず略一定の照射面照度を確保することができる。なお、上記の調光比は、放電ランプＬａ１の点灯時間に応じて調光制御部６５が設定する。
【００４２】
而して、本実施形態によれば、放電ランプＬａ１の点灯時間と調光比との間の演算式（図６中の曲線を表す演算式）のみをメモリに記憶させておけばよく、調光比を補正するためのデータテーブルは不要であることから、メモリの小型化が図れるという利点がある。
【００４３】
（実施形態４）
本発明に係る照明装置の実施形態４を図７及び図８に基づいて説明する。実施形態３では、放電ランプＬａ１の調光比を、点灯時間が増加するに従って曲線的に増加させているが、本実施形態では直線的に増加させており、調光比の補正カーブを実施形態３に比べて簡素化している。なお、それ以外の構成については実施形態３と同様であり、同一の構成要素には同一の符号を付して説明を省略する。
【００４４】
図７は放電ランプＬａ１の点灯時間と調光比との関係を示すグラフであり、点灯初期段階で７０％、点灯時間が放電ランプＬａ１の寿命時間に達するときには１００％となるように調光比を直線的に増加させている。この場合、実施形態３のように調光比を曲線的に変化させる場合に比べて放電ランプＬａ１の照度変化が大きく、照射面の照度を一定に保つことはできないが、図７に示すように初期の調光比を低く設定することで、省エネルギー効果は同様に期待できる。
【００４５】
また、調光比を直線的に増加させる場合には、例えば図８に示すように、点灯時間が所定時間増加する毎に調光比を所定量ずつ増加させることで、近似的に直線的な補正カーブを実現することができる。そして、図８に示すように階段状に等間隔で調光比を増加させることで、補正のために必要とされるパラメータは所定時間と調光比幅のみでいいことから、実施形態３のように演算式をメモリに記憶させる場合に比べて、メモリ容量をさらに小さくすることができる。なお、上記のパラメータは、例えば予めメモリに記憶させておき、起動時に読み込むようにしてもいいし、放電灯Ｌａ１の種類に応じて外部から入力できるようにしてもよい。
【００４６】
（実施形態５）
本発明に係る照明装置の実施形態５を図９に基づいて説明する。上述の実施形態１〜４では、放電ランプＬａ１の点灯時間を記憶させるためのメモリ７を制御用集積回路６とは別に設けているが、本実施形態ではメモリ７の代わりに制御用集積回路６の内部にメモリ６８を設けている。なお、それ以外の構成は実施形態１と同様であり、同一の構成要素には同一の符号を付して説明を省略する。
【００４７】
本実施形態の照明装置は、図９に示すように整流回路２と、直流電源回路３と、インバータ回路４と、負荷回路５と、制御用集積回路６と、発振回路８とを備える。
【００４８】
また、本実施形態の制御用集積回路６は、チョッパ制御部６０と、チョッパドライブ回路６１と、インバータ制御部６２と、インバータドライブ回路６３と、タイマ回路（タイマ手段）６４と、調光制御部（調光制御手段）６５と、動作切替部６７と、メモリ６８とを備える。ここに、本実施形態においても、インバータ制御部６２及びインバータドライブ回路６３によりインバータ制御手段が構成されている。なお、本実施形態では、発振回路８から出力される一定間隔の出力信号に従って、タイマ回路６４から動作切替部６７及び調光制御部６５に時間を計数するための発振信号が出力されるようになっている。
【００４９】
而して、本実施形態によれば、実施形態１〜４のように制御用集積回路６とメモリ７との間をつなぐ通信用のインターフェース回路が必要なく、また通信制御部６６も不要になることから、実施形態１〜４に比べて装置全体の大きさを小さくすることができる。なおこの場合、メモリ６８を追加することで制御用集積回路６のサイズが大きくなるが、メモリ６８には放電ランプＬａ１の点灯時間のみを記憶させればいいので、メモリ６８の容量は小さくて済み、したがってメモリ６８の追加に伴う影響を小さくすることができる。
【符号の説明】
【００５０】
３  直流電源回路
４  インバータ回路
５  負荷回路
６  制御用集積回路
６２  インバータ制御部（インバータ制御手段）
６３  インバータドライブ回路（インバータ制御手段）
６４  タイマ回路（タイマ手段）
６５  調光制御部（調光制御手段）
Ｃ２  平滑コンデンサ
Ｃ３，Ｃ４  コンデンサ
Ｌ２  インダクタ
Ｌａ１  放電ランプ
Ｑ１〜Ｑ３  スイッチング素子
【図１】
2012074157.tif 000003
【図２】
2012074157.tif 000004
【図３】
2012074157.tif 000005
【図４】
2012074157.tif 000006
【図５】
2012074157.tif 000007
【図６】
2012074157.tif 000008
【図７】
2012074157.tif 000009
【図８】
2012074157.tif 000010
【図９】
2012074157.tif 000011